(57)【要約】【課題】  設備費を抑え、安価に製造可能な接続コネクタの提供。【解決手段】  プラグ部２８とソケット部３０とが互いに嵌合され、プラグ部コンタクト１５の接触片２１とソケット部コンタクト１６の接触片２６とが弾性的に接触されることにより互いに接続される一対のコネクタ構成体１３，１３からなる接続コネクタ１０において、一方のコネクタ構成体１３は、プラグ部２８とソケット部３０とが並べて配置されたハウジング１４を備え、他方のコネクタ構成体１３は、相手コネクタ構成体のソケット部３０に嵌まり込む位置にプラグ部２８が配置され、相手コネクタ構成体１３のプラグ部２８が嵌まり込む位置にソケット部３０が配置され、相手コネクタ構成体１３のハウジング１４と対称配置のハウジング１４を備え、両コネクタ構成体１３，１３には、双方共に同一形状のハウジング１４、プラグ部コンタクト１５及びソケット部コンタクト１６が使用された。【選択図】  図１
2006331762.tif 000002
【特許請求の範囲】
【請求項１】
プラグ部コンタクトの接触片を側部に配置した凸状のプラグ部と、該プラグ部が挿入されるプラグ部挿入溝を有し、該プラグ部挿入溝の内側部にソケット部コンタクトの接触片を配置したソケット部とが互いに嵌合され、前記プラグ部コンタクトの接触片とソケット部コンタクトの接触片とが弾性的に接触することにより互いに接続される一対のコネクタ構成体からなる接続コネクタにおいて、
前記一方のコネクタ構成体は、前記プラグ部とソケット部とが並べて配置されたハウジングを備え、前記他方のコネクタ構成体は、相手コネクタ構成体の前記ソケット部と対応する位置にプラグ部が配置され、前記相手コネクタ構成体の前記プラグ部と対応する位置にソケット部が配置され、前記相手コネクタ構成体のハウジングと対称配置のハウジングを備え、
該両コネクタ構成体には、双方共に同一形状の前記ハウジング、プラグ部コンタクト及びソケット部コンタクトを使用し、前記一方のコネクタ構成体のプラグ部と相手コネクタ構成体のソケット部とが嵌合され、前記一方のコネクタ構成体のソケット部と相手コネクタ構成体のプラグ部とを嵌合されるようにしたことを特徴としてなる接続コネクタ。
【請求項２】
前記プラグ部コンタクトは、前記プラグ部側面に沿って保持された固定接触片を備え、前記ソケット部コンタクトは、前記プラグ部挿入溝内に突出し、前記固定接触片に弾性的に接触する弾性接触片を備えた請求項１に記載の接続コネクタ。
【発明の詳細な説明】
【技術分野】
【０００１】
本発明は、主に基板対基板接続に使用される接続コネクタに関する。
【背景技術】
【０００２】
従来、基板対基板の接続は、一方の基板に配置されたコネクタ構成体（プラグ）と、他方の基板に配置されたコネクタ構成体（ソケット）とを互いに接続させることによって行われている（例えば、特許文献１を参照）。
【０００３】
一方のコネクタ構成体（プラグ）１は、図４に示すように、凸状のプラグ部２を有するハウジングと、ハウジングに保持され、プラグ部２側面より突出した弾性接触片４ａを有する複数のプラグ部コンタクト４，４…とを備え、他方のコネクタ構成体（ソケット）５は、相手側コネクタ構成体１側に開口したプラグ部挿入溝６を有するソケットハウジング７と、ハウジング７に支持されプラグ部挿入溝６内面に露出した固定接触片８ａを有する複数のソケット部コンタクト８，８…とを備えている。
【０００４】
そして、両コネクタ構成体１，５は、プラグ部２をプラグ部挿入溝６に挿入し、プラグ部側面より突出した弾性接触片４ａが固定接触片８ａに弾性的に接触することにより接続されるようになっている。
【特許文献１】特開２０００−２９４３１５号公報
【発明の開示】
【発明が解決しようとする課題】
【０００５】
しかし、上述の如き従来の技術では、プラグとソケットとで保持するコンタクトの形状が異なるので両者のハウジング形状も異なり、それぞれ異なるハウジング成型用の成型金型が必要であり、また、プラグ及びソケットを組立てる為の自動組立機もそれぞれに必要となる為、設備費が嵩み生産コストが高いという問題があった。
【０００６】
そこで本発明は、上述の従来技術の問題を鑑み、設備費を抑え、安価に製造可能な接続コネクタの提供を目的とする。
【課題を解決するための手段】
【０００７】
上述の如き従来の問題を解決し、所期の目的を達成するための請求項１に記載の発明は、プラグ部コンタクトの接触片を側部に配置した凸状のプラグ部と、該プラグ部が挿入されるプラグ部挿入溝を有し、該プラグ部挿入溝の内側部にソケット部コンタクトの接触片を配置したソケット部とが互いに嵌合され、前記プラグ部コンタクトの接触片とソケット部コンタクトの接触片とが弾性的に接触することにより互いに接続される一対のコネクタ構成体からなる接続コネクタにおいて、前記一方のコネクタ構成体は、前記プラグ部とソケット部とが並べて配置されたハウジングを備え、前記他方のコネクタ構成体は、相手コネクタ構成体の前記ソケット部と対応する位置にプラグ部が配置され、前記相手コネクタ構成体の前記プラグ部と対応する位置にソケット部が配置され、前記相手コネクタ構成体のハウジングと対称配置のハウジングを備え、該両コネクタ構成体には、双方共に同一形状の前記ハウジング、プラグ部コンタクト及びソケット部コンタクトを使用し、前記一方のコネクタ構成体のプラグ部と相手コネクタ構成体のソケット部とが嵌合され、前記一方のコネクタ構成体のソケット部と相手コネクタ構成体のプラグ部とを嵌合されるようにした接続コネクタであることを特徴とする。
【０００８】
請求項２に記載の発明は、請求項１の構成に加え、前記プラグ部コンタクトは、前記プラグ部側面に沿って保持された固定接触片を備え、前記ソケット部コンタクトは、前記プラグ部挿入溝内に突出し、前記固定接触片に弾性的に接触する弾性接触片を備えたことを特徴とする。
【発明の効果】
【０００９】
本発明に係る接続コネクタは、プラグ部コンタクトの接触片を側部に配置した凸状のプラグ部と、該プラグ部が挿入されるプラグ部挿入溝を有し、該プラグ部挿入溝の内側部にソケット部コンタクトの接触片を配置したソケット部とが互いに嵌合され、前記プラグ部コンタクトの接触片とソケット部コンタクトの接触片とが弾性的に接触することにより互いに接続される一対のコネクタ構成体からなる接続コネクタにおいて、前記一方のコネクタ構成体は、前記プラグ部とソケット部とが並べて配置されたハウジングを備え、前記他方のコネクタ構成体は、相手コネクタ構成体の前記ソケット部と対応する位置にプラグ部が配置され、前記相手コネクタ構成体の前記プラグ部と対応する位置にソケット部が配置され、前記相手コネクタ構成体のハウジングと対称配置のハウジングを備え、該両コネクタ構成体には、双方共に同一形状の前記ハウジング、プラグ部コンタクト及びソケット部コンタクトを使用し、前記一方のコネクタ構成体のプラグ部と相手コネクタ構成体のソケット部とが嵌合され、前記一方のコネクタ構成体のソケット部と相手コネクタ構成体のプラグ部とを嵌合されるようにしたことによって、ハウジング成型用金型及びハウジングにコンタクトを取り付けるための組立用自動機を一元化し、設備費を削減し、生産コストを低減することができる。
【００１０】
また、前記プラグ部コンタクトは、前記プラグ部側面に沿って保持された固定接触片を備え、前記ソケット部コンタクトは、前記プラグ部挿入溝内に突出し、前記固定接触片に弾性的に接触する弾性接触片を備えたことによって、弾性接触片の接触による変形等を防止することができる。
【発明を実施するための最良の形態】
【００１１】
次に、本発明に係る接続コネクタについて説明する。
【００１２】
図１は、本発明に係る接続コネクタの一例を示し、図中符号１０は接続コネクタ、符号１１，１２はプリント配線基板である。
【００１３】
この接続コネクタ１０は、互いに着脱可能に接続される一対のコネクタ構成体１３，１３をもって構成され、両コネクタ構成体１３，１３は、同一に構成されている。
【００１４】
このコネクタ構成体１３は、図２，図３に示すように、合成樹脂製のハウジング１４と、ハウジング１４に保持されたプラグ部コンタクト１５，１５…及びソケット部コンタクト１６，１６…の２種類のコンタクトとをもって構成され、このハウジング１４及び両コンタクト１５，１６は、両コネクタ構成体１３，１３において双方共通で使用可能なように同一形状に形成されている。
【００１５】
即ち、両コネクタ構成体１３，１３を構成するハウジング１４は、同一の成形金型により成形され、ハウジング１４にコンタクト１５，１６を取り付ける作業も一台の組立用自動機により行うことができるようになっている。
【００１６】
プラグ部コンタクト１５は、導電性板材を所定の形状に打ち抜き、それを折曲加工することにより形成され、縦向き平板状の取付片１７と、取付片１７の下縁より折り曲げられ外向きに突出した端子片１８と、取付片１７の端子片１８とは反対側の縁部より折り曲げられた連結片１９と、連結片１９の取付片１７とは反対側の縁部より下向きに折り曲げられた縦長平板状の固定接触片２０とを備えている。
【００１７】
取付片１７、連結片１９及び固定接触片２０は、略同じ幅に形成され、逆Ｕ字状に配置されている。また、端子片１８は、取付片１７より狭く形成されている。
【００１８】
ソケット部コンタクト１６は、導電性板材を所定の形状に打ち抜き、それを折曲加工することにより形成され、縦向き平板状の取付片２１と、取付片２１の下縁より外向きに折り曲げられた端子片２２と、取付片２１の上縁部より屈曲部２３を介して折り曲げられた連結片２４と、連結片２４の下縁より折り曲げられた弾性支持片２５と、弾性支持片２５の連結片２４とは反対側の縁部より上向きに折り曲げられた弾性接触片２６とを備えている。
【００１９】
端子片２２、連結片２４、弾性支持片２５及び弾性接触片２６の幅は、取付片２１の幅より狭く形成されている。
【００２０】
また、弾性接触片２６の支持片２５とは反対側の端部には、弧状に折曲された接触部２７が形成されている。
【００２１】
ハウジング１４は、凸状のプラグ部２８と、相手コネクタ構成体側に開口したプラグ部挿入溝２９を有するソケット部３０とを備え、このプラグ部２８とソケット部３０とが平行配置に並べられ、連結部３１を介して一体に形成されている。
【００２２】
プラグ部２８は、細長凸状に形成され、その長手方向に間隔をおいて複数のコンタクト保持部が形成され、このコンタクト保持部にプラグ部コンタクト１５が固定接触片２０を側面に露出させた配置に嵌め込まれている。
【００２３】
また、このプラグ部２８の両端部には、基板の固定用パターンにはんだ付け等により固定される固定用金具３２が保持された側壁３３が一体に形成されている。
【００２４】
コンタクト保持部は、プラグ部２８のソケット部３０側面に形成された縦向きの固定接触片保持溝３４と、プラグ部２８の固定接触片保持溝３４と反対側の側面に形成された縦向きの取付片保持溝３５と、両溝３４，３５の上端部間を連通する連結片保持溝３６とを備えている。
【００２５】
取付片保持溝３４の下端部両側縁には、プラグ部コンタクト１５の取付片両側縁が嵌まり込む嵌合溝３７，３７が形成され、プラグ部コンタクト１５の取付片１７の両側縁がこの嵌合溝３７，３７に嵌まり込み、プラグ部コンタクト１５がプラグ部２８に固定されている。
【００２６】
また、固定接触片２０の先端が固定接触片保持溝３４と連続配置の挿入孔３８に挿入され、固定接触片保持溝３４に露出した状態に保持されている。
【００２７】
更に、端子片１８がハウジング１４底面部に配置され、この端子片１８を基板１１（１２）に形成された端子パターンに接続させるようになっている。
【００２８】
ソケット部３０は、底板３９と、底板３９上に互いに間隔をおいて平行配置された一対の長壁４０，４１と、長壁４１の両端側に配置された一対の短壁４２，４２とを備え、長壁４０，４１及び短壁４２，４２の内側部にプラグ部挿入溝２９が形成されている。
【００２９】
このプラグ部挿入溝２９は、プラグ部２８が挿入可能な形状に形成されている。
【００３０】
一方の長壁４１には、その外側面にコンタクト保持溝４３，４３…が長手方向に間隔をおいて形成され、このコンタクト保持溝４３の両側縁にソケット部コンタクト１６の取付片２１の両側縁が嵌まり込む嵌合溝４４，４４が形成されている。
【００３１】
また、この長壁４１の内側面には、連結片２４が嵌まり込む連結片保持溝４５がコンタクト保持溝４３と連続して形成されている。
【００３２】
更に、他方の長壁４０から底板３９にかけて連結片保持溝４５と連続配置に回避用溝４６が形成されている。
【００３３】
コンタクト保持溝４３に、ソケット部コンタクト１６の取付片２１を取り付けると、プラグ部挿入溝２９を挟んで連結片２４及び弾性接触片２６が互いに対向して配置され、弾性接触片２６の接触部２７がプラグ部挿入溝２９内に突出するようになっている。
【００３４】
また、回避用溝４６を設けたことにより、弾性支持片２５及び弾性接触片２６が撓むことができるようになっている。
【００３５】
更に、端子片２２がハウジング１４底面部に配置され、この端子片２２，２２…を基板１１（１２）に形成された端子パターンに接続させるようになっている。
【００３６】
このように構成された両コネクタ構成体１３，１３は、一方のコネクタ構成体１３のハウジング１４を相手コネクタ構成体１３のハウジング１４と対称配置とし、即ち、プラグ部２８が相手側コネクタ構成体１３のソケット部３０と対応する位置に配置され、ソケット部３０が相手側コネクタ構成体１３のプラグ部２８と対応する位置に配置され、それぞれプラグ部２８とソケット部３０とを互いに嵌め合うことにより、プラグ部２８の外面に露出した固定接触片２０に弾性接触片２６が弾性的に接触し、双方が電気的に接続されるようになっている。
【００３７】
尚、上述の実施例では、プラグ部コンタクトの接触片を固定し、それにソケット部コンタクトの接触片が弾性的に接触するようにした例について説明したが、ソケット部コンタクトの接触片をプラグ部挿入溝内壁部に固定し、プラグ部コンタクトの接触片をプラグ部側面より突出させ、ソケット部コンタクトに弾性的に接触させるようにしてもよい。
【００３８】
また、上述の実施例では、本発明に係る接続コネクタを基板対基板接続に用いた例について説明したが、ケーブル対ケーブル等の接続にも適用することができる。
【図面の簡単な説明】
【００３９】
【図１】本発明に係る接続コネクタの一例を示す断面図である。
【図２】図１中のコネクタ構成部材を示す平面図である。
【図３】図２中のＡ−Ａ線拡大断面図である。
【図４】従来の接続コネクタの一例を示す断面図である。
【符号の説明】
【００４０】
１０  接続コネクタ
１１，１２  基板
１３  コネクタ構成体
１４  ハウジング
１５  プラグ部コンタクト
１６  ソケット部コンタクト
１７  取付片
１８  端子片
１９  連結片
２０  固定接触片
２１  取付片
２２  端子片
２３  屈曲部
２４  連結片
２５  弾性支持片
２６  弾性接触片
２７  接触部
２８  プラグ部
２９  プラグ部挿入溝
３０  ソケット部
３１  連結部
３２  固定用金具
３３  側壁
３４  固定接触片保持溝
３５  取付片保持溝
３６  連結片保持溝
３７  嵌合溝
３８  挿入孔
３９  底板
４０，４１  長壁
４２  短壁
４３  コンタクト保持溝
４４  嵌合溝
４５  連結片保持溝
４６  回避用溝
【図１】
2006331762.tif 000003
【図２】
2006331762.tif 000004
【図３】
2006331762.tif 000005
【図４】
2006331762.tif 000006